(57)【要約】  装着者の耳裏にかかる負担を軽減できるとともに利便性に優れたマスクを提供する。マスク１は、本体部１０、耳掛部２０、及び保護部材３０を備えている。本体部１０は、装着者の顔の少なくとも一部を覆う。本体部１０の左右両側には、装着者の耳に掛けられる耳掛部２０が設けられている。耳掛部２０には、広げられた状態で装着者の耳を覆うシート状の保護部材３０が取り付けられている。保護部材３０は、耳掛部２０の先端側に寄せられるように構成されている。
2016166795.tif 000002
【特許請求の範囲】
【請求項１】
装着者の顔の少なくとも一部を覆う本体部と、
前記本体部の左右両側に設けられ、前記装着者の耳に掛けられる耳掛部と、
前記耳掛部に取り付けられ、広げられた状態で前記耳を覆うシート状の保護部材と、を備え、
前記保護部材は、前記耳掛部の先端側に寄せられるように構成されていることを特徴とするマスク。
【請求項２】
請求項１に記載のマスクにおいて、
前記耳掛部は、紐状をしているマスク。
【請求項３】
請求項２に記載のマスクにおいて、
前記保護部材は、前記耳掛部に沿って移動可能に設けられているマスク。
【請求項４】
請求項２又は３に記載のマスクにおいて、
前記保護部材は、袋状に形成された端部を有しており、
紐状の前記耳掛部が袋状の前記端部に通されることにより、前記保護部材が前記耳掛部に取り付けられているマスク。
【請求項５】
請求項１乃至４の何れかに記載のマスクにおいて、
前記保護部材は、前記耳掛部の先端側に寄せられた状態において、当該保護部材の略全体が前記耳掛部における前記耳の裏に当たる部分に集中するマスク。
【請求項６】
請求項１乃至５の何れかに記載のマスクにおいて、
前記保護部材は、広げられた状態において、前記耳の全体を覆うマスク。
【請求項７】
請求項１乃至６の何れかに記載のマスクにおいて、
前記保護部材は、広げられた状態において、前記耳掛部の内側の領域の略全体に及ぶマスク。
【請求項８】
請求項１乃至７の何れかに記載のマスクにおいて、
前記保護部材が広げられた状態において、当該保護部材を前記本体部に一時的に固定する固定手段を備えるマスク。
【請求項９】
請求項８に記載のマスクにおいて、
前記固定手段は、前記保護部材が広げられた状態において、当該保護部材における前記本体部側の端部から前記本体部まで延びる帯状部材であり、
前記帯状部材の一端は、前記保護部材に固定されており、
前記帯状部材の他端には、前記本体部に対して粘着力を有する粘着部が設けられているマスク。
【請求項１０】
請求項９に記載のマスクにおいて、
前記帯状部材は、前記保護部材が前記耳掛部の先端側に寄せられた状態において、当該保護部材を束ねるマスク。
【請求項１１】
請求項８に記載のマスクにおいて、
前記固定手段は、前記保護部材における前記本体部側の端部に設けられた、前記本体部に対して粘着力を有する粘着部であるマスク。
【請求項１２】
請求項１１に記載のマスクにおいて、
前記粘着部は、前記保護部材が前記耳掛部の先端側に寄せられた状態において、当該保護部材における当該粘着部が設けられていない部分に接着されるマスク。
【請求項１３】
請求項１乃至１２の何れかに記載のマスクにおいて、
前記保護部材の裏面は、起毛加工されているマスク。
【請求項１４】
請求項１乃至１３の何れかに記載のマスクにおいて、
前記保護部材は、遮音シートからなるマスク。
【請求項１５】
請求項１乃至１４の何れかに記載のマスクにおいて、
前記保護部材は、防虫剤を含有しているマスク。
【請求項１６】
請求項１乃至１５の何れかに記載のマスクにおいて、
前記保護部材は、前記本体部と同一の材料からなるマスク。
【請求項１７】
請求項１乃至１５の何れかに記載のマスクにおいて、
前記保護部材は、前記本体部と異なる材料からなるマスク。
【請求項１８】
請求項１乃至１７の何れかに記載のマスクにおいて、
前記保護部材の厚みは、前記本体部の厚みよりも大きいマスク。
【請求項１９】
請求項１乃至１８の何れかに記載のマスクにおいて、
前記耳掛部は、伸縮性を有するマスク。
【発明の詳細な説明】
【技術分野】
【０００１】
本発明は、人の顔を覆うマスクに関する。
【背景技術】
【０００２】
従来のマスクとしては、例えば特許文献１に記載されたものがある。同文献に記載されたマスクは、装着者の口を覆う本体部と、本体部の左右両側に設けられた耳掛部とを備えている。耳掛部における装着者の耳裏に当たる部分には、スポンジ等からなる保護部材（緩和具）が取り付けられている。
【先行技術文献】
【特許文献】
【０００３】
【特許文献１】特開２００６−１５８９０５号公報
【発明の概要】
【発明が解決しようとする課題】
【０００４】
特許文献１に記載されたマスクによれば、耳掛部に保護部材が取り付けられているため、装着者の耳裏にかかる負担を軽減することができる。しかしながら、かかる保護部材が設けられた従来のマスクには、装着者にとっての利便性の面で向上の余地がある。【０００５】
本発明は、上記課題に鑑みてなされたものであり、装着者の耳裏にかかる負担を軽減できるとともに利便性に優れたマスクを提供することを目的とする。
【課題を解決するための手段】
【０００６】
本発明によるマスクは、装着者の顔の少なくとも一部を覆う本体部と、上記本体部の左右両側に設けられ、上記装着者の耳に掛けられる耳掛部と、上記耳掛部に取り付けられ、広げられた状態で上記耳を覆うシート状の保護部材と、を備え、上記保護部材は、上記耳掛部の先端側に寄せられるように構成されていることを特徴とする。【０００７】
このマスクにおいては、耳掛部に保護部材が取り付けられている。保護部材は、シート状をしており、耳掛部の先端側に寄せられるように構成されている。このように耳掛部の先端側に寄せられた保護部材は、耳掛部と耳裏との間に介在することになる。これにより、装着者の耳裏にかかる負担を軽減することができる。しかも、この保護部材は、広げられた状態では装着者の耳を覆うように設けられている。このように保護部材は、耳裏にかかる負担を軽減する機能だけでなく、耳を覆う機能も有している。このことは、装着者にとっての利便性の向上に資する。
【発明の効果】
【０００８】
本発明によれば、装着者の耳裏にかかる負担を軽減できるとともに利便性に優れたマスクが実現される。
【図面の簡単な説明】
【０００９】
【図１】本発明によるマスクの一実施形態を示す背面図である。
【図２】図１のマスクにおいて保護部材が耳掛部の先端側に寄せられた状態を示す背面図である。
【図３】保護部材が広げられた状態で図１のマスクが装着された場合を説明するための図である。
【図４】保護部材が寄せられた状態で図１のマスクが装着された場合を説明するための図である。
【図５】図１のＶ−Ｖ線に沿った端面の構造を説明するための図である。
【図６】本発明によるマスクの一変形例を示す背面図である。
【図７】図６のマスクにおいて保護部材が束ねられた状態を示す背面図である。
【図８】本発明によるマスクの他の変形例を説明するための図である。
【発明を実施するための形態】
【００１０】
以下、図面を参照しつつ、本発明の実施形態について詳細に説明する。なお、図面の説明においては、同一要素には同一符号を付し、重複する説明を省略する。
【００１１】
図１は、本発明によるマスクの一実施形態を示す背面図である。マスク１は、本体部１０、耳掛部２０、及び保護部材３０を備えている。本体部１０は、シート状をしており、装着者の顔の少なくとも一部を覆う。本実施形態において本体部１０は、装着者の目、鼻及び口のうち、鼻及び口のみを覆うものである。図１は、本体部１０の内側の面（装着者の顔に対向する面）を示している。本体部１０は、通気性を有する材料からなる。かかる材料としては、例えば、不織布、ガーゼ又は紙を用いることができる。
【００１２】
本体部１０の左右両側には、耳掛部２０が設けられている。耳掛部２０は、装着者の耳に掛けられるように構成されている。耳掛部２０を耳に掛けることにより、本体部１０を装着者の顔に固定することができる。本実施形態において耳掛部２０は、紐状をしている。また、耳掛部２０は、伸縮性を有している。かかる耳掛部２０としては、例えば、ゴム紐を用いることができる。
【００１３】
耳掛部２０には、保護部材３０が取り付けられている。保護部材３０は、シート状をしており、変形自在である。保護部材３０は、図２に示すように、耳掛部２０の先端側（本体部１０から遠い側）に寄せられるように構成されている。保護部材３０は、耳掛部２０に取り付けられた状態を維持しつつ、耳掛部２０の先端側に寄せられる。これにより、保護部材３０を耳掛部２０の先端側に纏めることができる。本実施形態においては、保護部材３０の略全体が、耳掛部２０における装着者の耳裏に当たる部分に集中するように構成されている。
【００１４】
保護部材３０は、図３に示すように、広げられた状態で装着者の耳９０を覆う。このとき、保護部材３０は、外側に膨らむように構成されている。これにより、装着者の耳９０は、保護部材３０によって立体的に覆われる。本実施形態において保護部材３０は、耳９０の全体を覆うように設けられている。一方、保護部材３０は、図４に示すように、耳掛部２０の先端側に寄せられた状態では、耳９０を覆わない。すなわち、保護部材３０は、耳掛部２０の先端側に寄せて耳９０を覆わないようにすることができる。このとき、保護部材３０は、皺皺の状態で、耳９０の裏と耳掛部２０との間に介在する。なお、図３及び図４においては、当該図面を見やすくするため、本体部１０を透明化して示している。
【００１５】
保護部材３０の端部は、図５に示すように、袋状に形成されている。同図は、図１のＶ−Ｖ線に沿った端面を示している。詳細には、保護部材３０の端部のうち本体部１０側の端部を除く部分が袋状に形成されている。かかる形状の端部は、例えば、保護部材３０の端を折り返した状態で縫製又は圧着することにより得ることができる。この袋状の端部に、上述した紐状の耳掛部２０が通されている。このようにして、保護部材３０が耳掛部２０に取り付けられている。ただし、保護部材３０は、耳掛部２０に固定されていない。すなわち、保護部材３０は、耳掛部２０に沿って移動可能に設けられている。
【００１６】
保護部材３０の裏面（広げられた状態で装着者の耳に対向する面）は、起毛加工されていてもよい。保護部材３０は、遮音シートからなっていてもよい。また、保護部材３０には、防虫剤が含有されていてもよい。保護部材３０の厚みは、本体部１０の厚みよりも大きいことが好ましい。保護部材３０は、本体部１０と同一の材料からなっていてもよいし、本体部１０と異なる材料からなっていてもよい。
【００１７】
マスク１の効果を説明する。マスク１においては、耳掛部２０に保護部材３０が取り付けられている。保護部材３０は、シート状をしており、耳掛部２０の先端側に寄せられるように構成されている。このように耳掛部２０の先端側に寄せられた保護部材３０は、耳掛部２０と耳裏との間に介在し、緩衝材として機能する。これにより、装着者の耳裏にかかる負担を軽減することができる。
【００１８】
しかも、保護部材３０は、広げられた状態では装着者の耳を覆うように設けられている。保護部材３０で耳を覆うことは、防寒、防音、防虫等の対策として有用である。このように保護部材３０は、耳裏にかかる負担を軽減する機能だけでなく、耳を覆う機能も有している。すなわち、保護部材３０は、耳裏の負担を軽減するという意味で耳を保護するとともに、耳を覆って防寒、防音、防虫等を図るという意味でも耳を保護するものである。このことは、装着者にとっての利便性の向上に資する。したがって、装着者の耳裏にかかる負担を軽減できるとともに利便性に優れたマスク１が実現されている。
【００１９】
このように、マスク１は、保護部材３０が広げられた状態と、保護部材３０が耳掛部２０の先端側に寄せられた状態とで２通りの使い方が可能である。それゆえ、装着者は、例えば、屋外にいるときは、防寒を優先して保護部材３０が広げられた状態でマスク１を使用する一方で、屋内にいるときは、耳裏の負担軽減を優先して保護部材３０が寄せられた状態でマスク１を使用するということができる。
【００２０】
保護部材３０は、耳掛部２０に沿って移動可能に設けられている。これにより、保護部材３０が広げられた状態と保護部材３０が寄せられた状態との切り替えを容易に行うことができる。
【００２１】
保護部材３０は袋状の端部を有しており、当該端部に紐状の耳掛部２０が通されることにより、保護部材３０が耳掛部２０に取り付けられている。これにより、簡易な構成で、耳掛部２０に沿って移動可能な保護部材３０を実現することができる。
【００２２】
保護部材３０が耳掛部２０の先端側に寄せられた状態において、保護部材３０の略全体が耳掛部２０における耳裏に当たる部分に集中するように構成されている。これにより、当該部分における保護部材３０の緩衝効果を高めることができる。
【００２３】
耳掛部２０は、伸縮性を有している。これにより、本体部１０を顔にしっかりと固定することができる。ところが、このように耳掛部が伸縮性を有する場合、その縮もうとする力が装着者に耳裏に加わるため、当該耳裏にかかる負担は大きくなってしまう。それゆえ、この場合、耳裏の負担を軽減できるマスク１が特に有用となる。
【００２４】
保護部材３０は、広げられた状態において、装着者の耳の全体を覆う。これにより、保護部材３０による防寒、防音、防虫等の効果を高めることができる。また、保護部材３０の厚みが本体部１０の厚みよりも大きい場合も、これらの効果を高めるのに適している。
【００２５】
保護部材３０の裏面が起毛加工されている場合、保護部材３０による防寒効果を特に高めることができる。保護部材３０が遮音シートからなる場合、保護部材３０による防音効果を特に高めることができる。また、保護部材３０が防虫剤を含有する場合、保護部材３０による防虫効果を特に高めることができる。
【００２６】
本発明は、上記実施形態に限定されるものではなく、様々な変形が可能である。上記実施形態においては、保護部材３０が広げられた状態において、保護部材３０を本体部１０に一時的に固定する固定手段が設けられていてもよい。かかる固定手段としては、例えば、図６に示すように、保護部材３０における本体部１０側の端部から本体部１０まで延びる帯状部材４０を用いることができる。帯状部材４０の一端は、保護部材３０に固定されている。帯状部材４０の他端には、本体部１０に対して粘着力を有する粘着部４２が設けられている。帯状部材４０の他端は、粘着部４２を介して本体部１０に一時的に固定される。これにより、保護部材３０によって耳が覆われた状態を確実に維持することができる。
【００２７】
しかも、帯状部材４０は、図７に示すように、保護部材３０が耳掛部２０の先端側に寄せられた状態において、保護部材３０を束ねるのにも用いることができる。そうすることにより、保護部材３０が耳掛部２０の先端側に寄せられた状態を確実に維持することができる。
【００２８】
上記実施形態においては、装着時に広げられた状態の保護部材３０が、耳掛部２０の内側の領域の一部にのみ及ぶ例を示した（図３参照）。しかし、保護部材３０は、図８に示すように、装着時に広げられた状態において、耳掛部２０の内側の領域の略全体に及ぶものであってもよい。保護部材３０における本体部１０側の端部には、本体部１０に対して粘着力を有する粘着部（図示せず）が設けられている。この粘着部は、保護部材３０を本体部１０に一時的に固定する固定手段として機能するものである。このように耳掛部２０の内側の領域の全体に保護部材３０が及ぶ場合、本体部１０と保護部材３０との間に隙間が生じないため、保護部材３０による防寒、防音、防虫等の効果を高めるのに適している。また、固定手段として粘着部が設けられているため、本体部１０と保護部材３０との間に隙間がない状態を確実に維持することができる。
【００２９】
しかも、この粘着部は、保護部材３０が耳掛部２０の先端側に寄せられた状態において、保護部材３０における粘着部が設けられていない部分に接着することができる。そうすることにより、保護部材３０が耳掛部２０の先端側に寄せられた状態を確実に維持することができる。
【００３０】
上記実施形態においては、装着者の目、鼻及び口のうち、鼻及び口を覆う本体部１０を例示した。しかし、本体部１０は、口のみを覆うものであってもよいし、鼻のみを覆うものであってもよい。あるいは、本体部１０は、アイマスクのように、目のみを覆うものであってもよい。また、本体部１０は、目、鼻及び口の全てを覆うものであってもよい。
【符号の説明】
【００３１】
１  マスク
１０  本体部
２０  耳掛部
３０  保護部材
４０  帯状部材
４２  粘着部
９０  耳
【図１】
2016166795.tif 000003
【図２】
2016166795.tif 000004
【図３】
2016166795.tif 000005
【図４】
2016166795.tif 000006
【図５】
2016166795.tif 000007
【図６】
2016166795.tif 000008
【図７】
2016166795.tif 000009
【図８】
2016166795.tif 000010
【国際調査報告】
2016166795.tif 000011
2016166795.tif 000012
2016166795.tif 000013
2016166795.tif 000014